(57)【特許請求の範囲】
【請求項１】
テレビジョン信号をテレビジョンの中間周波数帯に周波数変換すると共に、ＦＭ放送信号を前記中間周波数帯における音声中間周波数に周波数変換する混合器と、
スイッチダイオードを有し、同調周波数が前記スイッチダイオードのオフ状態では前記中間周波数帯のほぼ中間となり、オン状態では前記音声中間周波数となるように切り換えられる中間周波同調回路と、
バラクタダイオードを有し、前記バラクタダイオードに印加される逆方向バイアス電圧を大小２通りに切り換えて前記中間周波数帯よりも高い周波数又は前記中間周波数帯のほぼ中間の周波数を減衰するトラップ回路と、
少なくともＶＨＦ帯のローバンド又はハイバンドを選択するためのバンドデコーダーとを備え、
前記バンドデコーダーには前記テレビジョン信号又は前記ＦＭ放送信号を選択するための二値のバンド選択電圧を出力する第一の端子を設け、
前記バンド選択電圧が入力され、前記スイッチダイオードをオン又はオフに切り換えるための二値の切換電圧を第二の端子から出力すると共に、前記バラクタダイオードの逆方向バイアス電圧を切り換えるための二値の切換電圧を第三の端子から出力する切換回路を設け、
前記テレビジョン信号の受信時には、前記第二の端子に出力される切換電圧によって前記スイッチダイオードをオフにすると共に、前記第三の端子に出力される切換電圧によって前記バラクタダイオードに印加される逆方向のバイアス電圧を大きくして、
前記ＦＭ放送信号の受信時には、前記第二の端子から出力される切換電圧によって前記スイッチダイオードをオンにすると共に、前記第三の端子から出力される切換電圧によって前記バラクタダイオードに印加される逆方向のバイアス電圧を小さくしたことを特徴とするテレビジョンチューナ。
【請求項２】
前記スイッチダイオードのアノードには、第一の電源電圧を印加すると共に、カソードを前記第二の端子に接続し、
前記バラクタダイオードのカソードには前記第一の電源電圧を印加すと共に、アノードを前記第三の端子に接続し、
前記第二の端子から出力される切換電圧のハイレベルの電圧を前記第一の電源電圧のレベルより高く、ローレベルの電圧を前記第一の電源電圧のレベルより低くし、
前記第三の端子から出力される切換電圧のハイレベルの電圧とローレベルの電圧のレベルとを、前記第一の電源電圧のレベルより低くしたことを特徴とする請求項１記載のテレビジョンチューナ。
【請求項３】
前記切換回路は、ＮＰＮ型の第一のトランジスタとＰＮＰ型の第二のトランジスタとＮＰＮ型の第三のトランジスタとを有し、
前記第一のトランジスタのコレクタに前記第二の端子を接続すると共に第二の電源電圧を印加し、
前記第一のトランジスタのベースに前記バンド選択電圧を印加し、
前記第一のトランジスタのエミッタを接地し、
前記第二のトランジスタのコレクタに前記第三の端子を接続し、
前記第二のトランジスタのエミッタに前記第一の電源電圧を印加し、
前記第二のトランジスタのベースに前記第三のトランジスタのコレクタを接続し、
前記第三のトランジスタのベースに前記バンド選択電圧を印加し、
前記第三のトランジスタのエミッタを接地したことを特徴とする請求項２記載のテレビジョンチューナ。
【請求項４】
前記切換回路を、集積回路化したことを特徴とする請求項３記載のテレビジョンチューナ。
【発明の詳細な説明】
【０００１】
【発明の属する技術分野】
本発明は、テレビジョン信号受信用チューナに関し、特にＦＭ放送信号を受信できるようにしたテレビジョン信号受信用チューナに関する。
【０００２】
【従来の技術】
従来のテレビジョンチューナの構成を図３、図４に従って説明する。図３に示すようにテレビジョンチューナは、ＶＨＦ回路部５２と、ＶＨＦ用混合器５３と、ＵＨＦ回路部５４と、ＵＨＦ用混合器５５と、中間周波同調回路５６と、トラップ回路５７と、中間周波増幅回路５８と、ＳＡＷフィルタ５９と、バンドデコーダー６０とから構成される。ＶＨＦ帯のテレビジョン信号又はＦＭ放送信号を受信する場合には、テレビジョン信号又はＦＭ放送信号がＶＨＦ用混合器５３によって中間周波信号に変換される。一方、ＵＨＦ帯のテレビジョン信号を受信する場合には、テレビジョン信号がＵＨＦ用混合器５５によって中間周波信号に変換される。
【０００３】
ＶＨＦ回路部５２は、アンテナ５１に接続されており、直列に接続されたＶＨＦ用アンテナ回路６１と、ＶＨＦ用高周波増幅回路６２と、ＶＨＦ用同調回路６３とからなる。ここで、ＶＨＦ用アンテナ回路６１は入力された高周波信号のうち、受信する帯域の信号をＶＨＦ用高周波増幅回路６２へ出力する回路、ＶＨＦ用高周波増幅回路６２は入力された高周波信号を増幅する回路、ＶＨＦ用同調回路６３は、入力された信号を同調させる回路である。
【０００４】
ＶＨＦ用混合器５３は、ＶＨＦ用同調回路６３から５４ＭＨｚ〜２１６ＭＨｚのＶＨＦ帯のテレビジョン信号、又は、８９ＭＨｚ〜１７３ＭＨｚのＦＭ放送信号が入力されると共に、ＶＨＦ用局部発振器６４から局部発振信号が入力される。ＶＨＦ用局部発振器６４は、ＰＬＬ回路を内蔵したバンドデコーダー６０から印加されるチューニング電圧ＴＵによって、発振周波数が変化し、ＶＨＦ帯のテレビジョン信号を受信するときには、受信するテレビジョン信号よりも４４ＭＨｚ高い局部発振信号を出力し、ＦＭ放送信号を受信するときには、受信するＦＭ放送信号よりも４１．２５ＭＨｚ高い局部発振信号を出力する。このため、ＶＨＦ帯のテレビジョン信号は、４４ＭＨｚの中間周波信号に周波数変換され、ＦＭ放送信号は、テレビジョン信号の音声中間周波の周波数に相当する４１．２５ＭＨｚの音声中間周波信号に周波数変換される。
【０００５】
また、ＵＨＦ回路部５４は、ＶＨＦ回路部５２と並列に構成され、アンテナ５１が接続されており、直列に接続されたＵＨＦ用アンテナ回路６５と、ＵＨＦ用高周波増幅回路６６と、ＵＨＦ用同調回路６７とからなる。ここで、ＵＨＦ回路部５４内の各回路の動作は、対応するＶＨＦ回路部５２の各回路と同様であるため、その説明を省略する。
【０００６】
ＵＨＦ用混合器５５は、ＵＨＦ回路部５４から４７０ＭＨｚ〜８９０ＭＨｚのＵＨＦ帯のテレビジョン信号が入力されると共に、ＵＨＦ用局部発振器６８から局部発振信号が入力される。ＵＨＦ用局部発振器６８は、ＰＬＬ回路を内蔵したバンドデコーダー６０から印加されるチューニング電圧ＴＵによって、発振周波数が変化し、受信するテレビジョン信号よりも４４ＭＨｚ高い局部発振信号を出力する。このため、ＵＨＦ帯のテレビジョン信号は、４４ＭＨｚの中間周波信号に周波数変換される。
【０００７】
ＶＨＦ用混合器５３またはＵＨＦ用混合器５５で周波数変換されたテレビジョン信号またはＦＭ放送信号は、中間周波同調回路５６で同調される。中間周波同調回路５６は、図４に示すとおりに、バラクタダイオード６９と、バラクタダイオード６９のアノードに一端が接続され他端が接地された第一のコンデンサ７０と、一端が高周波的に接地された第一のインダクタ７１ａ、７１ｂとを有し、バラクタダイオード６９と第一のコンデンサ７０との直列接続回路に対して、第一のインダクタンタ７１ａ，７１ｂが並列に接続され、並列同調回路を構成する。第一のインダクタ７１ａと７１ｂとの接続点には、バンド選択電圧Ｓ１が印加され、この電圧は、第一のインダクタ７１ａを介してバラクタダイオード６９のカソードに供給される。また、バラクタダイオード６９のアノードは、抵抗７２を介して接地される。そして、バラクタダイオード６９のカソードと第一のインダクタ７１ａとの接続点が混合器５３の出力端に接続されると共に、トラップ回路５７に接続される。
【０００８】
テレビジョン信号を受信する場合には、バンドデコーダー６０からハイレベルのバンド選択電圧Ｓ１が第一インダクタ７１ａを介してバラクタダイオード６９のカソードに印加され、バラクタダイオード６９には逆バイアス電圧が印加される。このときのバラクタダイオード６９の容量値と第一のコンデンサ７０の容量値、及び第一のインダクタ７１ａ，７１ｂのインダクタンス値によって中間周波同調回路５６の同調周波数が決定されるが、その周波数は、４４ＭＨｚとなる。一方、ＦＭ放送信号を受信する際には、バンドデコーダー６０からローレベルのバンド選択電圧Ｓ１が第一インダクタ７１ａを介してバラクタダイオードのカソードに印加され、バラクタダイオード６９のアノードとカソードとの間がほぼ同電位となる。するとバラクタダイオード６９の容量値は極めて大きくなり、同調周波数は低くなる。この時の同調周波数は、４１．２５ＭＨｚとなる。
【０００９】
中間周波同調回路５６で同調されたテレビジョン信号又はＦＭ放送信号は、トラップ回路５７に入力される。トラップ回路５７は、互いに並列に接続された第二のインダクタ７３と、第二のコンデンサ７４と、スイッチダイオード７５とからなる。スイッチダイオード７５のアノードには電源電圧＋Ｂが印加され、カソードにはバンド切換電圧Ｓ２が印加される。テレビジョン信号を受信する場合には、バンドデコーダー６０からスイッチダイオード７５のカソードに印加されるバンド選択電圧Ｓ２がローレベルとなり、スイッチダイオード７５がオン状態となり、どの周波数の信号も減衰されない。一方ＦＭ放送信号を受信する際には、バンドデコーダー６０からスイッチダイオードのカソードに印加されるバンド選択電圧Ｓ２がハイレベルとなり、トラップ回路５７で減衰される信号の周波数が、中間周波数帯のほぼ中間である４３ＭＨｚとなるようになっている。
【００１０】
中間周波同調回路５６で同調されたテレビジョン信号又はＦＭ放送信号は、中間周波増幅回路５８に入力され、増幅される。中間周波増幅回路５８で増幅されたテレビジョン信号又はＦＭ放送信号は、ＳＡＷフィルタ５９に入力される。ＳＡＷフィルタ５９の通過帯域は４１ＭＨｚから４７ＭＨｚであって、テレビジョン信号の中間周波数帯を通過させる。尚、ＳＡＷフィルタ５９の通過帯域は、音声中間周波数に周波数変換されたＦＭ放送信号の帯域よりも広いが、ＦＭ放送信号を受信する場合には、中間周波同調回路５６とトラップ回路５７とによって受信するＦＭ放送信号に隣接する信号が除去されているので、チューナからは受信する帯域の信号のみが出力される。
【００１１】
【発明が解決しようとする課題】
このような従来のテレビジョンチューナーは、テレビジョン信号とＦＭ放送信号とを受信するためにバンドデコーダーから中間周波同調回路とトラップ回路とにバンド選択電圧を出力しなければならず、しかもそれぞれのバンド選択電圧のハイレベルの電圧のレベルが異なっていた。このため、バンドデコーダーの回路が複雑となり、低価格化の妨げとなっていた。
【００１２】
そこで、本発明の目的は、バンドデコーダーから出力される１つのバンド選択電圧によって、中間周波同調回路の同調周波数とトラップ回路のトラップ周波数とを制御できるようにして、バンドデコーダーの回路を簡素化できるようにして、低価格化なチューナを提供するものである。
【００１３】
【課題を解決するための手段】
上記課題を解決するため、本発明のチューナは、テレビジョン信号をテレビジョンの中間周波数帯に周波数変換すると共に、ＦＭ放送信号を前記中間周波数帯における音声中間周波数に周波数変換する混合器と、スイッチダイオードを有し、同調周波数が前記スイッチダイオードのオフ状態では前記中間周波数帯のほぼ中間となり、オン状態では前記音声中間周波数となるように切り換えられる中間周波同調回路と、バラクタダイオードを有し、前記バラクタダイオードに印加される逆方向バイアス電圧を大小２通りに切り換えて前記中間周波数帯よりも高い周波数又は前記中間周波数帯のほぼ中間の周波数を減衰するトラップ回路と、少なくともＶＨＦ帯のローバンド又はハイバンドを選択するためのバンドデコーダーとを備え、前記バンドデコーダーには前記テレビジョン信号又は前記ＦＭ放送信号を選択するための二値のバンド選択電圧を出力する第一の端子を設け、前記バンド選択電圧が入力され、前記スイッチダイオードをオン又はオフに切り換えるための二値の切換電圧を第二の端子から出力すると共に、前記バラクタダイオードの逆方向バイアス電圧を切り換えるための二値の切換電圧を第三の端子から出力する切換回路を設け、前記テレビジョン信号の受信時には、前記第二の端子に出力される切換電圧によって前記スイッチダイオードをオフにすると共に、前記第三の端子に出力される切換電圧によって前記バラクタダイオードに印加される逆方向のバイアス電圧を大きくして、前記ＦＭ放送信号の受信時には、前記第二の端子から出力される切換電圧によって前記スイッチダイオードをオンにすると共に、前記第三の端子から出力される切換電圧によって前記バラクタダイオードに印加される逆方向のバイアス電圧を小さくした。
【００１４】
また、本発明のテレビジョンチューナは、前記スイッチダイオードのアノードに、第一の電源電圧を印加すると共に、カソードを前記第二の端子に接続し、前記バラクタダイオードのカソードには前記第一の電源電圧を印加すと共に、アノードを前記第三の端子に接続し、前記第二の端子から出力される切換電圧のハイレベルの電圧を前記第一の電源電圧のレベルより高く、ローレベルの電圧を前記第一の電源電圧のレベルより低くし、前記第三の端子から出力される切換電圧のハイレベルの電圧とローレベルの電圧のレベルとを、前記第一の電源電圧のレベルより低くした。
【００１５】
また、本発明のテレビジョンチューナの前記切換回路は、ＮＰＮ型の第一のトランジスタとＰＮＰ型の第二のトランジスタとＮＰＮ型の第三のトランジスタとを有し、前記第一のトランジスタのコレクタに前記第二の端子を接続すると共に第二の電源電圧を印加し、前記第一のトランジスタのベースに前記バンド選択電圧を印加し、前記第一のトランジスタのエミッタを接地し、前記第二のトランジスタのコレクタに前記第三の端子を接続し、前記第二のトランジスタのエミッタに前記第一の電源電圧を印加し、前記第二のトランジスタのベースに前記第三のトランジスタのコレクタを接続し、前記第三のトランジスタのベースに前記バンド選択電圧を印加し、前記第三のトランジスタのエミッタを接地した。
【００１６】
また、本発明のテレビジョンチューナの切換回路を、集積回路化した。
【００１７】
【発明の実施の形態】
本発明のチューナを図１及び図２に従って説明する。図１は、本発明のチューナのブロック図を示し、図２は、図１に示す中間周波同調回路とトラップ回路と切換回路の回路図を示す。
【００１８】
まず、図１において、チューナは、ＶＨＦ回路部２と、ＶＨＦ用混合器３と、ＵＨＦ回路部４と、ＵＨＦ用混合器５と、中間周波同調回路６と、トラップ回路７と、中間周波増幅回路８と、ＳＡＷフィルタ９と、バンドデコーダー１０と、切換回路１１とから構成される。ＶＨＦ帯のテレビジョン信号又はＦＭ放送信号を受信する場合には、テレビジョン信号又はＦＭ放送信号がＶＨＦ用混合器３によって中間周波信号に変換される。一方、ＵＨＦ帯のテレビジョン信号を受信する場合には、テレビジョン信号がＵＨＦ用混合器５によって中間周波信号に変換される。
【００１９】
ＶＨＦ回路部２は、アンテナ１に接続されており、ＶＨＦ用アンテナ回路１２、ＶＨＦ用高周波増幅回路１３、ＶＨＦ用同調回路１４の順に直列接続された構成となっている。ここで、ＶＨＦ用アンテナ回路１２は入力された高周波信号のうち、受信する信号をＶＨＦ用高周波増幅回路１３へ出力する回路、ＶＨＦ用高周波増幅回路１３は入力された高周波信号を増幅する回路、ＶＨＦ用同調回路１４は、入力された信号を同調させる回路である。
【００２０】
ＶＨＦローバンドのテレビジョン信号を受信する場合には、バンドデコーダー１０からＶＨＦ用アンテナ回路１２にＶＨＦローバンド選択電圧ＶＬが入力され、５４〜８８ＭＨｚのＶＨＦローバンドのテレビジョン信号がＶＨＦ用アンテナ回路１２で同調される。また、ＶＨＦハイバンドのテレビジョン信号又はＦＭ放送信号を受信する場合には、バンドデコーダー１０からＶＨＦ用アンテナ回路１２にＶＨＦハイバンド選択電圧ＶＨが入力され、１７４〜２１６ＭＨｚのＶＨＦハイバンドのテレビジョン信号又は８９ＭＨｚ〜１７３ＭＨｚのＦＭ放送信号がＶＨＦ用アンテナ回路１２で同調される。
【００２１】
ＶＨＦバンドのテレビジョン信号又はＦＭ放送信号を受信する場合は、バンドデコーダー１０からＶＨＦ用高周波増幅回路１３に、ＶＨＦローバンド選択電圧ＶＬ又はＶＨＦハイバンド選択電圧ＶＨが入力され、ＶＨＦ用高周波増幅回路１３が動作する。尚、この場合には、バンドデコーダー１０から、ＵＨＦ用高周波増幅回路１７に、ＵＨＦバンド選択電圧Ｕが入力されないので、ＵＨＦ用高周波増幅回路１７は動作しない。
【００２２】
ＶＨＦローバンドのテレビジョン信号を受信する場合には、バンドデコーダー１０からＶＨＦ用同調回路１４にＶＨＦローバンド選択電圧ＶＬが入力され、５４〜８８ＭＨｚのＶＨＦローバンドのテレビジョン信号がＶＨＦ用同調回路１４で同調される。また、ＶＨＦハイバンドのテレビジョン信号又はＦＭ放送信号を受信する場合には、バンドデコーダー１０からＶＨＦ用同調回路１４にＶＨＦハイバンド選択電圧ＶＨが入力され、１７４〜２１６ＭＨｚのＶＨＦハイバンドのテレビジョン信号又は８９ＭＨｚ〜１７３ＭＨｚのＦＭ放送信号がＶＨＦ用同調回路１４で同調される。
【００２３】
ＶＨＦ用混合器３は、ＶＨＦ用同調回路１４から５４ＭＨｚ〜２１６ＭＨｚのＶＨＦ帯のテレビジョン信号、又は、８９ＭＨｚ〜１７３ＭＨｚのＦＭ放送信号が入力されると共に、ＶＨＦ用局部発振器１５から局部発振信号が入力される。ＶＨＦ用局部発振器１５は、ＰＬＬ回路を内蔵したバンドデコーダー１０から印加されるチューニング電圧ＴＵによって、発振周波数が変化し、ＶＨＦ帯のテレビジョン信号を受信するときには、受信するテレビジョン信号よりも４４ＭＨｚ高い局部発振信号を出力し、ＦＭ放送信号を受信するときには、受信するＦＭ放送信号よりも４１．２５ＭＨｚ高い局部発振信号を出力する。このため、ＶＨＦ帯のテレビジョン信号は、４４ＭＨｚの中間周波信号に周波数変換され、ＦＭ放送信号は、テレビジョン信号の音声中間周波の周波数に相当する４１．２５ＭＨｚの音声中間周波信号に周波数変換される。
【００２４】
また、ＵＨＦ回路部４は、ＶＨＦ回路部２と並列に構成されており、アンテナ１が接続されており、ＵＨＦ用アンテナ回路１６、ＵＨＦ用高周波増幅回路１７、ＵＨＦ用同調回路１８の順に直列に接続され構成されている。ここで、ＵＨＦ用アンテナ回路１６は入力された高周波信号のうち、必要なＵＨＦ帯のテレビジョン信号をＵＨＦ用高周波増幅回路１７へ出力する回路、ＵＨＦ用高周波増幅回路１７は入力された高周波信号を増幅する回路、ＵＨＦ用同調回路１８は、入力された信号を同調させる回路である。
【００２５】
ＵＨＦバンドのテレビジョン信号を受信する場合には、４７０〜８９０ＭＨｚのＵＨＦバンドのテレビジョン信号がＵＨＦ用アンテナ回路１６で同調される。
【００２６】
また、バンドデコーダー１０からＵＨＦ用高周波増幅回路１７に、ＵＨＦバンド選択電圧Ｕが入力され、ＵＨＦ用高周波増幅回路１７が動作する。尚、この場合には、バンドデコーダー１０から、ＶＨＦ用高周波増幅回路１３に、ＶＨＦローバンド選択電圧ＶＬ及びＶＨＦハイバンド選択電圧ＶＨが入力されないので、ＶＨＦ用高周波増幅回路１３は動作しない。
【００２７】
更に、ＵＨＦバンドのテレビジョン信号は、ＵＨＦ用同調回路１８で同調される。
【００２８】
ＵＨＦ用混合器５は、ＵＨＦ用同調回路１８から４７０ＭＨｚ〜８９０ＭＨｚのＵＨＦ帯のテレビジョン信号が入力されると共に、ＵＨＦ用局部発振器１９から局部発振信号が入力される。ＵＨＦ用局部発振器１９は、ＰＬＬ回路を内蔵したバンドデコーダー１０から印加されるチューニング電圧ＴＵによって、発振周波数が変化し、受信するテレビジョン信号よりも４４ＭＨｚ高い局部発振信号を出力する。このため、ＵＨＦ帯のテレビジョン信号は、４４ＭＨｚの中間周波信号に周波数変換される。
【００２９】
ＶＨＦ用混合器３またはＵＨＦ用混合器５で周波数変換されたテレビジョン信号又はＦＭ放送信号は、中間周波同調回路６で同調される。中間周波同調回路６は、図２に示すとおりに、平衡型の回路であり、互いに並列に接続された第一のコンデンサ２５と第一のインダクタ２６ａ，２６ｂと、スイッチダイオード２０と、それぞれの一端がスイッチダイオード２０のカソードに接続され、互いに並列に接続された第二のコンデンサ２７と第二のインダクタ２８とからなる。第一のインダクタ２６ａ，２６ｂの間には５Ｖの第一の電源電圧Ｂ１が印加されており、スイッチダイオード２０のアノードに第一のインダクタ２６ａを介して第一の電源電圧Ｂ１が印加される。
【００３０】
また、中間周波同調回路６は、切換回路１１に接続されており、スイッチダイオード２０のカソードが、切換回路１１の第二の端子２３に接続されている。切換回路１１は、集積回路化されているが、その等価回路には、第一のスイッチトランジスタ３１と、第二のスイッチトランジスタ３２と、第三のスイッチトランジスタ３３と、第一の抵抗３４と、第二の抵抗３５と、第三の抵抗３６と、第四の抵抗３７とを含んでいる。第一のスイッチトランジスタ３１は、ＮＰＮ型のトランジスタであって、エミッタが接地され、ベースは、第一の抵抗３４を介してバンドデコーダー１０の第一の端子２２に接続され、コレクタは、第二の抵抗３５を介して接地されると共に第二の端子２３に接続される。また、第二のスイッチトランジスタ３２は、ＰＮＰ型のトランジスタであって、コレクタが第三の抵抗３６を介して接地されると共に第三の端子２４に接続され、エミッタに５Ｖの第一の電源電圧Ｂ１が印加され、ベースが第三のスイッチトランジスタ３３のコレクタに接続される。第三のスイッチトランジスタ３３は、ＮＰＮ型のトランジスタであって、コレクタが第二のスイッチトランジスタ３１のベースに接続され、エミッタが接地され、ベースが第四の抵抗３７を介してバンドデコーダー１０の第一の端子２２に接続されている。従って、バンドデコーダー１０から二値のバンド選択電圧Ｓが切換回路１１に入力されると、切換回路１１の第二の端子２３と第三の端子２４とから二値の切換電圧がそれぞれ出力される。
【００３１】
テレビジョン信号を受信する際には、切換回路１１にバンドデコーダー１０の第一の端子２２から０Ｖのバンド選択電圧Ｓが出力される。すると、第一のスイッチトランジスタ３１がオフになり、３０Ｖの第二の電源電圧Ｂ２が、第二の抵抗３５と第五の抵抗３８とによって分圧され、第二の端子２３の電圧が１０Ｖとなり、スイッチダイオード２０のカソードに１０Ｖの切換電圧が印加される。従って、スイッチダイオード２０に逆方向のバイアス電圧が印加されるので、オフ状態となり、中間周波同調回路６は、第一のコンデンサ２５と第一のインダクタ２６ａ，２６ｂとによって並列同調する。この場合は、同調周波数が４４ＭＨｚで帯域が６ＭＨｚとなる。
【００３２】
一方、ＦＭ放送信号を受信する際には、切換回路１１にバンドデコーダー１０の第一の端子２２から５Ｖのバンド選択電圧Ｓが出力される。すると、第一のスイッチトランジスタ３１がオンになり、第二の端子２３の電圧が０Ｖとなり、スイッチダイオード２０のカソードに０Ｖの切換電圧が印加される。従って、スイッチダイオード２０に順方向のバイアス電圧が印加されるので、オン状態となり、中間周波同調回路６は、第一のコンデンサ２５と、第一のインダクタ２６ａ，２６ｂと、第二のコンデンサ２７と、第二のインダクタ２８によって並列同調する。この場合は、同調周波数が４１．２５ＭＨｚで帯域が１．５ＭＨｚとなる。
【００３３】
中間周波同調回路６を通過したテレビジョン信号又はＦＭ放送信号は、トラップ回路７に入力される。トラップ回路７は、互いに並列に接続されたバラクタダイオード２１と、第三のコンデンサ２９と、第三のインダクタ３０とからなり、平行線路の一方の線路上に挿入されている。バラクタダイオード２１のカソードには、第一のインダクタ２６ａを介して５Ｖの第一の電源電圧Ｂ１が印加されている。
【００３４】
テレビジョン信号を受信する場合には、切換回路１１にバンドデコーダー１０の第一の端子２２から０Ｖのバンド選択電圧Ｓが出力され、第三のスイッチトランジスタ３３がオフになり、第二のスイッチトランジスタ３２がオフになる。すると、第三の端子２４の電圧が０Ｖとなり、バラクタダイオード２１に印加される逆方向のバイアス電圧は５Ｖと大きくなりバラクタダイオード２１の容量値が比較的小さくなる。この状態では、トラップ回路７で減衰される信号の周波数が、中間周波数帯よりも高い周波数となり、隣接するテレビジョンチャネルの音声搬送波に対応する中間周波数帯の周波数である４７．２５ＭＨｚとなるようになっている。
【００３５】
一方、ＦＭ放送信号を受信する際には、切換回路１１にバンドデコーダー１０の第一の端子２２から５Ｖのバンド選択電圧Ｓが出力される。すると、第三のスイッチトランジスタ３３がオンになり、第二のスイッチトランジスタ３２がオンになる。すると、第三の端子２４から５Ｖの電圧が出力され、第六の抵抗３９と第七の抵抗４０とで分圧されて、バラクタダイオード２１のアノードに４Ｖの切換電圧印加されるので、バラクタダイオード２１に印加される逆方向のバイアス電圧は１Ｖと小さくなり、バラクタダイオード２１の容量値が比較的大きくなる。この状態では、トラップ回路７で減衰される信号の周波数が、中間周波数帯のほぼ中間の４３ＭＨｚとなるようになっている。
【００３６】
トラップ回路７を通過したテレビジョン信号又はＦＭ放送信号は、中間周波増幅回路８に入力され、増幅される。中間周波増幅回路８で増幅されたテレビジョン信号又はＦＭ放送信号は、ＳＡＷフィルタ９に入力される。ＳＡＷフィルタ９の通過帯域は４１ＭＨｚから４７ＭＨｚであって、テレビジョン信号の中間周波数帯を通過させる。尚、ＳＡＷフィルタ９の通過帯域は、音声中間周波数に周波数変換されたＦＭ放送信号の帯域よりも広いが、ＦＭ放送信号を受信する場合には、中間周波同調回路６と、トラップ回路７とによって受信するＦＭ放送信号に隣接する信号が除去されているので、チューナからは受信する帯域の信号のみが出力される。
【００３７】
【発明の効果】
以上のように、本発明のテレビジョンチューナは、テレビジョン信号とＦＭ放送信号とを受信するために、中間周波回路の同調周波数とトラップ回路のトラップ周波数とを変えることができるテレビジョンチューナーであって、中間周波同調回路の同調周波数とトラップ回路のトラップ周波数とを切り換えるそれぞれの切換電圧を切換回路から出力したので、バンドデコーダーから１つのバンド選択電圧を切換回路に出力することによって、中間周波同調回路の同調周波数とトラップ回路のトラップ周波数とを切り換えることが可能となり、バンドデコーダーの出力端子の数を減らすことができ、バンドデコーダーの回路の簡略化が可能となり、低価格化が可能となる。
【００３８】
また、本発明のテレビジョンチューナの切換回路は、第二の端子から出力される切換電圧のハイレベルの電圧は第一の電源電圧より高く、ローレベルの電圧は第一の電源電圧より低く、第三の端子から出力される切換電圧のハイレベルの電圧とローレベルの電圧とは第一の電源電圧より低くなっており、中間周波同調回路の同調周波数を変化させるスイッチダイオードと、トラップ回路のトラップ周波数を変化させるバラクタダイオードとをそれぞれに適した電圧で制御できる。
【００３９】
また、本発明のテレビジョンチューナの切換回路は、ＮＰＮ型の第一のトランジスタと、ＰＮＰ型の第二のトランジスタと、ＮＰＮ型のトランジスタとから構成したので少ない素子で切換回路を構成でき小型化可能となる。
【００４０】
また、本発明のテレビジョンチューナは、集積回路化されており小型化可能となる。
【図面の簡単な説明】
【図１】本発明のチューナのブロック図である。
【図２】本発明のチューナに用いられる中間周波同調回路とトラップ回路と切換回路との回路図である。
【図３】従来のチューナのブロック図である。
【図４】従来のチューナの中間周波同調回路とトラップ回路との回路図である。
【符号の説明】
１  アンテナ
２  ＶＨＦ回路部
３  ＶＨＦ用混合器
４  ＵＨＦ回路部
５  ＵＨＦ用混合器
６  中間周波同調回路
７  トラップ回路
８  中間周波増幅回路
９  ＳＡＷフィルタ
１０  バンドデコーダー
１１  切換回路
１２  ＶＨＦ用アンテナ回路
１３  ＶＨＦ用高周波増幅回路
１４  ＶＨＦ用同調回路
１５  ＶＨＦ用局部発振器
１６  ＵＨＦ用アンテナ回路
１７  ＵＨＦ用高周波増幅回路
１８  ＵＨＦ用同調回路
１９  ＵＨＦ用局部発振器
２０  スイッチダイオード
２１  バラクタダイオード
２２  第一の端子
２３  第二の端子
２４  第三の端子
２５  第一のコンデンサ
２６ａ，２６ｂ  第一のインダクタ
２７  第二のコンデンサ
２８  第二のインダクタ
２９  第三のコンデンサ
３０  第三のインダクタ
３１  第一のスイッチトランジスタ
３２  第二のスイッチトランジスタ
３３  第三のスイッチトランジスタ
３４  第一の抵抗
３５  第二の抵抗
３６  第三の抵抗
３７  第四の抵抗
３８  第五の抵抗
３９  第六の抵抗
４０  第七の抵抗
【図１】
0003765974.tif 000002
【図２】
0003765974.tif 000003
【図３】
0003765974.tif 000004
【図４】
0003765974.tif 000005